(57)【要約】【課題】メンテナンス時の作業負担を抑制すること、及び、換気効率の低下を抑制することを目的としている。【解決手段】給気路及び排気路を有するケーシングと、ケーシング内に着脱自在に設けられ、前記給気路の空気と前記排気路の空気とを熱交換させる熱交換器と、ケーシング内の前記熱交換器の対向位置に設けられ、前記熱交換器の移動を規制する移動規制手段と、を有し、移動規制手段は、熱交換器が前記ケーシング内に収容されているときにおいて、熱交換器と接触することで前記熱交換器の移動を規制し、前記熱交換器と非接触となることで前記熱交換器の移動の規制を解除するように構成されている。【選択図】図６
2014092303.tif 000002
【特許請求の範囲】
【請求項１】
給気路及び排気路を有するケーシングと、
前記ケーシング内に着脱自在に設けられ、前記給気路の空気と前記排気路の空気とを熱交換させる熱交換器と、
前記ケーシング内の前記熱交換器の対向位置に設けられ、前記熱交換器の移動を規制する移動規制手段と、
を有し、
前記移動規制手段は、
前記熱交換器が前記ケーシング内に収容されているときにおいて、
前記熱交換器と接触することで前記熱交換器の移動を規制し、前記熱交換器と非接触となることで前記熱交換器の移動の規制を解除するように構成されている
ことを特徴とする熱交換換気装置。
【請求項２】
前記移動規制手段は、
前記熱交換器の着脱方向に伸びるように形成され、前記熱交換器と接触することで移動を規制する押え部と、
前記熱交換器の着脱方向に並ぶように、前記押え部に形成された複数の開口部と、
前記開口部を介して前記押え部と前記ケーシングとを接続するガイトピンと、
を有し、
前記開口部は、
前記ガイドピンが前記開口部に挿通している状態で前記押え部が揺動可能なように形成されている
ことを特徴とする請求項１に記載の熱交換換気装置。
【請求項３】
前記開口部は、
前記ケーシングに形成されている前記熱交換器の着脱口側が、その反対側よりも高くなるように開口形成されている
ことを特徴とする請求項２に記載の熱交換換気装置。
【請求項４】
前記開口部は、
前記熱交換器の着脱口側の端部側に形成された第１の開口部と、
前記熱交換器の着脱口側とは反対側の端部側に形成された第２の開口部と、
から少なくとも構成され、
前記第１の開口部は、
上側から下側に向かって伸びるように開口形成された部分と、
当該開口形成された部分の下側から連続し、前記熱交換器の着脱口側から当該着脱口側とは反対側に向かって伸びるように開口形成された部分とを有し、
前記第２の開口部は、
前記熱交換器の着脱口側から当該着脱口側とは反対側に向かって、下側に傾斜するように開口形成された部分を有する
ことを特徴とする請求項３に記載の熱交換換気装置。
【請求項５】
前記ケーシングは、
前記熱交換器の着脱口を塞ぐように設けられたメンテナンスパネルを有し、
前記押え部は、
前記熱交換器の着脱口側の端部側に形成されたツマミ部を有し、
前記メンテナンスパネルは、
前記ツマミ部が挿入されるスリット部を有しており、
前記ツマミ部が、操作されることで前記移動規制手段が移動する
ことを特徴とする請求項２〜４のいずれか一項に記載の熱交換換気装置。
【発明の詳細な説明】
【技術分野】
【０００１】
本発明は、熱交換換気装置に関するものである。
【背景技術】
【０００２】
換気装置には、空気対空気での熱交換を行う熱交換器が搭載され、熱交換を行いながら同時給排気により換気を行う熱交換換気装置が各種提案されている。
従来の熱交換換気装置には、ケーシングの下側から熱交換器を着脱するように構成したものが提案されている（たとえば、特許文献１参照）。特許文献１に記載の技術は、熱交換器を保持部材にビスで固定する際に、位置決めが容易に行えるように凹凸を設けたものである。
【０００３】
また、従来の熱交換換気装置には、ケーシングの側面側から熱交換器を着脱することができるように、ケーシング内に熱交換器着脱用のレールが設けられたものが提案されている（たとえば、特許文献２参照）。
特許文献２に記載の熱交換換気装置には、熱交換器とともに、給気路及び排気路の上流側に配置されるフィルタが併設される。このフィルタは、フィルタ交換などのメンテナンスのために、比較的頻繁にケーシングから着脱される。特許文献２に記載の技術は、レールが設けられているため、熱交換器を水平移動させることで着脱でき、フィルタ交換などのメンテナンスにおける作業負担の増大を軽減している。
【先行技術文献】
【特許文献】
【０００４】
【特許文献１】特開平６−３３１１９６号公報（たとえば、図１参照）
【特許文献２】特開平１０−３００１５８号公報（たとえば、図１参照）
【発明の概要】
【発明が解決しようとする課題】
【０００５】
特許文献１に記載の技術は、位置決めの凹凸を有しているため、熱交換器とレールが固定されたケーシングとの間に位置ずれが発生してしまうことを抑制することができる。しかし、特許文献１に記載の技術は、熱交換器をケーシングの下側から着脱しなければならず、その分作業者の負担が増大してしまっていた。
【０００６】
特許文献２に記載の技術は、熱交換器の下側、両方の側方側及び上側を支持するように４つのレールが設けられている。ここで、熱交換器の下側を支持するレールについては、熱交換器の自重によって熱交換器と押しつけ合うように接触している。一方、熱交換器の両方の側方側及び上側を支持するレールについては、下側のレールと比較すると熱交換器の自重がかからないため、熱交換器とレールとの間に隙間が形成される。これにより、特許文献２に記載の技術は、熱交換器を着脱用のレールに沿わせて水平移動させる際の作業負担の増大を軽減することができるようになっている。
しかし、特許文献２に記載の技術は、熱交換器とレールとの間に隙間を形成するようにしている分、熱交換器とレールが固定されたケーシングとの間に位置ずれが発生してしまっていた。これにより、給気路の給気が排気路側に漏れてしまったり、排気路の排気が給気側に漏れてしまったりしてしまい、換気効率が低下してしまう可能性があった。
【０００７】
本発明は、以上のような課題を解決するためになされたもので、メンテナンス時の作業負担の増大を軽減すること、及び、換気効率の低下を抑制することを目的としている。
【課題を解決するための手段】
【０００８】
本発明に係る熱交換換気装置は、給気路及び排気路を有するケーシングと、ケーシング内に着脱自在に設けられ、前記給気路の空気と前記排気路の空気とを熱交換させる熱交換器と、ケーシング内の前記熱交換器の対向位置に設けられ、前記熱交換器の移動を規制する移動規制手段と、を有し、移動規制手段は、熱交換器が前記ケーシング内に収容されているときにおいて、熱交換器と接触することで前記熱交換器の移動を規制し、前記熱交換器と非接触となることで前記熱交換器の移動の規制を解除するように構成されているものである。
【発明の効果】
【０００９】
本発明に係る熱交換換気装置によれば、上記構成を有しているため、メンテナンス時の作業負担の増大を軽減すること、及び、換気効率の低下を抑制することができる。
【図面の簡単な説明】
【００１０】
【図１】本発明の実施の形態に係る熱交換換気装置の概略を示す斜視図である。
【図２】（ａ）が図１に示す熱交換換気装置を上側から見た平面図であり、（ｂ）が図１に示す熱交換換気装置を給気送風機メンテナンスパネル側から見た平面図である。
【図３】熱交換器及びその周辺の構成についての説明図である。
【図４】熱交換器レールを下側に下げた状態の斜視図である。
【図５】熱交換器レールを上側に上げた状態の斜視図である。
【図６】給気路を示す概略側面図であり、給気の流れを矢印で示している。
【図７】排気路を示す縦断面図であり、排気の流れを矢印で示している。
【図８】熱交換器メンテナンスパネル及びその周辺の斜視図である。
【図９】図８の熱交換器メンテナンスパネルを取外した状態の斜視図である。
【図１０】熱交換器メンテナンスパネルの一部を拡大した平面図である。
【図１１】熱交換器レールを下側に下げた状態における熱交換器、熱交換器レール及び風路仕切部品の説明図である。
【図１２】図１１に示す構成について、熱交換器の室内側側面側の側面から見た図である。
【図１３】図１１に示す構成について、熱交換器の吹出口側側面側の側面から見た図である。
【図１４】熱交換器レールを上側に上げた状態における熱交換器、熱交換器レール及び風路仕切部品の説明図である。
【図１５】図１４に示す構成について、熱交換器の室内側側面側の側面から見た図である。
【図１６】図１４に示す構成について、熱交換器の吹出口側側面側の側面から見た図である。
【発明を実施するための形態】
【００１１】
以下、本発明の実施の形態を図面に基づいて説明する。
実施の形態．  
図１は、実施の形態に係る熱交換換気装置の概略を示す斜視図である。図２は、（ａ）が図１に示す熱交換換気装置を上側から見た平面図であり、（ｂ）が図１に示す熱交換換気装置を給気送風機メンテナンスパネル１５側から見た平面図である。図３は、熱交換器１４及びその周辺の構成についての説明図である。図４は、熱交換器レール３８ｂを下側に下げた状態の斜視図である。図５は、熱交換器レール３８ｂを上側に下げた状態の斜視図である。なお、図１〜図３に図示された矢印は、空気の流れを表している。
本実施の形態に係る熱交換換気装置は、メンテナンス時の作業負担の増大を軽減すること、及び、換気効率の低下を抑制することができる改良が加えられたものである。
【００１２】
熱交換換気装置は、空調対象空間（たとえば、家、ビル、倉庫など）の空気を取り込んで空調対象空間外に排出するとともに、空調対象空間外の空気を取り込んで空調対象空間に供給することができるものである。なお、以下の説明においては、空調対象空間が、家の室内である場合を例に説明する。また、「室外空気」は熱交換換気装置から室内に供給される給気に対応し、「室内空気」は、熱交換換気装置から室外に排出される「排気」に対応する。
【００１３】
［構成説明］
熱交換換気装置は、図１〜図３に示すように、各種機器が搭載されるケーシング１と、取り込んだ室外の空気と室内の空気とを熱交換させる熱交換器１４と、熱交換器１４に付設される還気フィルタ１２ａ及び外気フィルタ１２ｂと、室外の空気を取り込む給気送風機ユニット９と、室内の空気を取り込む排気送風機ユニット１１と、ケーシング１に取り込まれた室外空気を熱交換器１４を通してから排出するか否かを切り換えるのに利用される開閉ダンパー１０と、各種機器を制御する制御装置が設けられた回路ボックス１８と、を有している。
【００１４】
なお、熱交換換気装置は、室外側からケーシング１側に室外空気を取り込むのに利用される室外側吸込口２と、ケーシング１側から室内側に給気をするのに利用される室内側吹出口３と、ケーシング１内に設けられ、室外側吸込口２と室内側吹出口３とを接続する給気路６とを有している。
また、熱交換換気装置は、室内側からケーシング１側に室内空気を取り込むのに利用される室内側吸込口４と、ケーシング１側から室外側に排気をするのに利用される室外側吹出口５と、ケーシング１内に設けられ、室内側吸込口４と室外側吹出口５とを接続する排気路７とを有している。
さらに、熱交換換気装置は、室内側吸込口４側から取り込まれた室内空気を、熱交換器１４をバイパスして室外側吹出口５側に供給するバイパス路８を有している。
なお、図示は省略しているが、室外側吸込口２、室内側吹出口３、室内側吸込口４、及び室外側吹出口５は、たとえばダクトなどを介して室内、室外に接続される。
【００１５】
（ケーシング１）
ケーシング１は、略直方体形状の箱体であり、熱交換換気装置の外郭を構成するとともに、給気及び排気が流れる風路を有しているものである。ケーシング１には、給気送風機ユニット９と、排気送風機ユニット１１と、熱交換器１４と、開閉ダンパー１０と、が少なくとも搭載されている。
ここで、ケーシング１の側面のうちの紙面手前側を室内側側面１ａと称し、紙面左側を吸込口側側面１ｂと称し、紙面右側を吹出口側側面１ｃと称し、紙面奧側を室外側側面１ｄと称する。吸込口側側面１ｂには、室外側吸込口２及び室内側吸込口４が設けられている。また、吹出口側側面１ｃには、室内側吹出口３及び室外側吹出口５が設けられている。
なお、室内側側面１ａが室内側であるとともに、室外側側面１ｄは室外側となるように熱交換換気装置が設置される必要は必ずしもない。たとえば、室外側吸込口２、室内側吹出口３、室内側吸込口４及び室外側吹出口５に接続されるダクトを交差させるなどをすることで、ここで室内側側面１ａと定義した側面を室外側とし、室外側側面１ｄと定義した側面を室内側としてもよい。
【００１６】
さらに、室内側側面１ａには、回路ボックス１８が取り付けられているとともに、次のものが設けられている。すなわち、ケーシング１には、給気送風機ユニット９の取り付け、取り外し時などに開放する給気送風機メンテナンスパネル１５と、給気と排気とが混合してしまうことを防止するとともに、排気送風機ユニット１１の取り付け、取り外し時などに開放する排気送風機メンテナンスパネル１７と、熱交換器１４の取り付け、取り外し時などに開放する熱交換器メンテナンスパネル１６とが設けられている。
作業者は、給気送風機メンテナンスパネル１５、排気送風機メンテナンスパネル１７及び熱交換器メンテナンスパネル１６を開放することで、メンテナンス時に、給気送風機ユニット９、排気送風機ユニット１１、及び熱交換器１４を紙面手前側に引き出すことができるようになっている。
【００１７】
ケーシング１は、給気が流れる給気路６、排気が流れる排気路７、及び排気する際に熱交換器１４をバイパスさせるバイパス路８を有している。なお、給気路６と排気路７は、給気と排気とが混合しないように、全経路にわたり互いに独立して設けられている。そして、給気路６の給気と、排気路７の排気とを熱交換させることができるように熱交換器１４が設けられている。
給気路６は、上流側から、少なくとも熱交換器通過前給気路６ａ、熱交換器通過後給気路６ｂ、給気送風機ユニット通過前給気路６ｃ及び給気送風機ユニット通過後給気路６ｄから構成される（図６参照）。そして、給気路６には、上流側から、室外側吸込口２、熱交換器１４、給気送風機ユニット９、及び室内側吹出口３が配置される。
排気路７は、上流側から、少なくとも熱交換器通過前排気路７ａ、熱交換器通過後排気路７ｂ、排気送風機ユニット通過前排気路７ｃ、排気送風機ユニット通過後排気路７ｄから構成される（図７参照）。そして、排気路７には、上流側から、室内側吸込口４、熱交換器１４、排気送風機ユニット１１、及び室外側吹出口５が配置される。
なお、バイパス用の風路であるバイパス路８は、少なくとも室内側吸込口４側と、排気送風機ユニット１１側とを連通させるように、熱交換器１４及び後述の接続風路部５０の上側に設けられた風路である。
【００１８】
ケーシング１は、熱交換器１４側から給気送風機ユニット９及び排気送風機ユニット１１側へ供給される空気が通過する接続風路部５０と、給気送風機ユニット９及び排気送風機ユニット１１側と熱交換器１４、開閉ダンパー１０及び接続風路部５０側とを仕切る風路仕切部品３７とを有している。
接続風路部５０は、熱交換器１４に接続されるように設けられるとともに、風路仕切部品３７を介して給気送風機ユニット９及び排気送風機ユニット１１側に接続されるように設けられている。
風路仕切部品３７は、図１及び図２に示すように、吸込口側側面１ｂ及び吹出口側側面１ｃと略平行に立設された開口部を有する板状部材である。なお、この開口部については、図示を省略しているが、接続風路部５０側から給気送風機ユニット９及び排気送風機ユニット１１側へ空気が流れるように形成されたものである。
【００１９】
ケーシング１は、図３に示すように、熱交換器レール３８ａ、３８ｂが移動することができるように支持する風路仕切部品１３ａ、１３ｂ及び熱交換器１４の下面側を支持する風路仕切部品１３ｃ、１３ｄと、熱交換器１４と接触させるか否かを切り換えることができる熱交換器レール３８ａ、３８ｂとを有している。
【００２０】
風路仕切部品１３ａ〜１３ｄは、ケーシング１内に取り込まれた給気及び排気の流れを所定の方向に規制することができるとともに、次に説明する役割を果たしているものである。
風路仕切部品１３ａは、ケーシング１の上面側にたとえばネジなどで固定されるとともに、後述のガイドピンなどを介して、熱交換器レール３８ａが移動することができるように熱交換器レール３８ａが固定されたものである。風路仕切部品１３ａは、吸込口側側面１ｂ側であって熱交換器１４の上側に設けられている。
風路仕切部品１３ｂは、ケーシング１の上面側にたとえばネジなどで固定されるとともに、後述のガイドピン４１ａ〜４１ｃを介して、熱交換器レール３８ｂが移動することができるように熱交換器レール３８ｂが固定されたものである。風路仕切部品１３ｂは、吹出口側側面１ｃ側であって熱交換器１４の上側に設けられている。
風路仕切部品１３ｃは、ケーシング１の下面側にたとえばネジなどで固定されたものである。風路仕切部品１３ｃは、吸込口側側面１ｂ側であって熱交換器１４の下側に設けられている。
風路仕切部品１３ｄは、ケーシング１の下面側にたとえばネジなどで固定されたものである。風路仕切部品１３ｄは、吹出口側側面１ｃ側であって熱交換器１４の下側に設けられている。
【００２１】
熱交換器レール３８ａ、３８ｂは、熱交換器１４がケーシング１内の所定位置に配置されるように熱交換器１４の移動を規制するものである。熱交換器レール３８ａ、３８ｂは、下側から上側、或いは上側から下側に移動することができるものである。より詳細には、熱交換器レール３８ａ、３８ｂが下側に位置している場合には、熱交換器１４と密着しており、上方向及び水平方向に熱交換器１４が移動しないように熱交換器１４を支持することができる。また、熱交換器レール３８ａ、３８ｂが上側に位置している場合には、熱交換器１４から離れており、熱交換器１４を水平方向に移動させることができるようになっている。
この熱交換器レール３８ａ、３８ｂは、熱交換器１４がケーシング１内に収容されている状態において、後述の熱交換器フレーム４０ａ、４０ｂと対向するように設けられるものである。また、熱交換器レール３８ａ、３８ｂは、室内側側面１ａ側から室外側側面１ｄ側に向かう方向に伸びるように設けられた部材である。
【００２２】
熱交換器レール３８ｂは、図４及び図５に示すように、風路仕切部品１３ｂによって移動可能なように固定されているものである。熱交換器レール３８ｂには、室内側側面１ａ側から室外側側面１ｄ側に向かって順番に、切欠穴４２ａ、切欠穴４２ｂ及び切欠穴４２ｃが形成されている（図１１参照）。この切欠穴４２ａ〜４２ｃは、熱交換器レール３８ｂが、熱交換器フレーム４０ｂに対して移動可能なように、熱交換器フレーム４０ｂに密着させるために形成された穴である。
【００２３】
切欠穴４２ａには、図４及び図５に示すようにガイドピン４１ａが挿入されており、熱交換器レール３８ｂが風路仕切部品１３ｂに移動自在に固定されるようになっている。切欠穴４２ａの平面視形状は、略Ｌ字形状をしている。より詳細には、切欠穴４２ａは、垂直方向に略平行な部分と、水平方向に略平行な部分とが接続されて略Ｌ字形状となっているものである。
切欠穴４２ｂには、後述の図１１に示すようにガイドピン４１ｂが挿入されおり、熱交換器レール３８ｂが風路仕切部品１３ｂに移動自在に固定されるようになっている。切欠穴４２ｂの平面視形状は、略Ｌ字形状をしているが、切欠穴４２ａとは異なっている。すなわち、切欠穴４２ｂは、垂直方向に略平行な部分と、室内側側面１ａから室外側側面１ｄに向かって上側から下側へ傾斜した部分とが接続されて略Ｌ字形状、より詳しくは鈍角な略Ｌ字形状となっているものである。
切欠穴４２ｃには、後述の図１１に示すようにガイドピン４１ｃが挿入されており、熱交換器レール３８ｂが風路仕切部品１３ｂに移動自在に固定されるようになっている。切欠穴４２ｃの平面視形状は、室内側側面１ａから室外側側面１ｄに向かって上側から下側へ傾斜した形状である。
なお、ガイドピン４１ａ〜４１ｃは、切欠穴４２ａ〜４２ｃの開口部分に沿って揺動することができるように切欠穴４２ａ〜４２ｃに挿入され、風路仕切部品１３ｂに固定されているものである。ガイドピン４１ａ〜４１ｃは、たとえばネジなどで構成される。
なお、熱交換器レール３８ｂは、ガイドピン４１ａ〜４１ｃが切欠穴４２ａ〜４２ｃに挿入され、ガイドピン４１ａ〜４１ｃの熱交換器１４側の部分（ピンの頭の部分）と、風路仕切部品１３ｂとの間に挟まれて固定されている。このため、熱交換器レール３８ｂは、熱交換器１４の着脱方向な水平方向には揺動しないようになっている。
【００２４】
図４では、ガイドピン４１ａが切欠穴４２ａのうちの垂直方向に略平行な部分に位置しており、熱交換器レール３８ｂが下側に下がった状態となっている。一方、図５では、ガイドピン４１ａが切欠穴４２ａのうちの水平方向に略平行な部分に位置しており、熱交換器レール３８ｂが上側に上がった状態となっている。
このように、ガイドピン４１ａが、「切欠穴４２ａのうちの垂直方向に略平行な部分」に位置しているか、「切欠穴４２ａのうちの水平方向に略平行な部分」に位置しているかによって熱交換器レール３８ｂの上下位置が切り替わるようになっている。
【００２５】
熱交換器レール３８ｂの室内側側面１ａ側の端部には、ツマミ部３９が形成されている。ツマミ部３９は、作業者が握持することができるように形成されたものである。作業者は、このツマミ部３９を利用することにより、熱交換器レール３８ｂを下側から上側へ、或いは上側から下側へ移動させることができるようになっている。
熱交換器レール３８ｂには、切欠穴４２ａの形成位置と切欠穴４２ｂの形成位置との間に、バイパス路８を排気が流れるように形成された開放部３８ｂｂが形成されている。これにより、バイパス路８の排気は、熱交換器１４の上側から開閉ダンパー１０側へ円滑に流れるようになっている。
【００２６】
熱交換器レール３８ａは、風路仕切部品１３ａによって移動可能なように固定されているものである。なお、図４及び図５では図示を省略しているが、熱交換器レール３８ａにも、室内側側面１ａ側から室外側側面１ｄ側に向かって順番に、切欠穴４２ａ、切欠穴４２ｂ及び切欠穴４２ｃに対応する３つの切欠穴が形成されている。
なお、熱交換器レール３８ａの切欠穴のうち室内側側面１ａ側の切欠穴は、熱交換器レール３８ｂの切欠穴４２ａの対向位置に形成されている。
また、熱交換器レール３８ａの切欠穴のうち室外側側面１ｄ側の切欠穴は、熱交換器レール３８ｂの切欠穴４２ｃの対向位置に形成されている。
熱交換器レール３８ａの切欠穴のうち真ん中の切欠穴は、熱交換器レール３８ｂの切欠穴４２ｂの対向位置からはずれた位置に形成されている。すなわち、熱交換器レール３８ａの真ん中の切欠穴は、熱交換器レール３８ａの長手方向の中央部に形成されている。
なお、熱交換器レール３８ａの室内側側面１ａ側の端部にも、熱交換器レール３８ｂのツマミ部３９に対応するように、ツマミ部が形成されている。
【００２７】
熱交換器レール３８ａ、３８ｂには、下側に降りている状態において、熱交換器レール３８ａ、３８ｂと後述の熱交換器フレーム４０ａ、４０ｂとの間に設けられるシール材４４ａ、４４ｂが設けられている（図１２参照）。
シール材４４ａ、４４ｂは、熱交換器レール３８ａ、３８ｂと熱交換器フレーム４０ａ、４０ｂとの密着性を向上させるものである。このシール材４４によって、熱交換器レール３８ａ、３８ｂは、より確実に上方向及び水平方向に熱交換器１４が移動しないように熱交換器１４を支持することができるようになっている。なお、密着性を向上させることができるのであれば、シール材４４ａ、４４ｂを構成するものについては、特に限定されるものではなく、たとえば、弾力性を有するゴムなどで構成するとよい。
【００２８】
（熱交換器１４）
熱交換器１４は、ケーシング１に導入した室外空気と、室内の空気とを熱交換させるものである。すなわち、熱交換器１４は、給気路６を通過する給気と、排気路７を通過する排気との間で、熱交換を行わせるものである。このように、熱交換器１４は、排気の熱量を給気で回収する機能を有している。熱交換器１４は、室内側側面１ａ側から見て、ケーシング１内の左側、すなわち吸込口側側面１ｂ側に配置されている。
また熱交換器１４には、排気する空気に含まれるホコリなどを除去する還気フィルタ１２ａ、及び給気する空気に含まれるホコリなどを除去する外気フィルタ１２ｂが取り付けられている。
なお、熱交換器１４は、熱交換器１４に流入した室外空気と、室内空気とは混合しないように構成されている。すなわち、熱交換器１４は、熱交換器１４に流入した室外空気が流れる給気路６のうちの熱交換器１４の流路と、室内空気が流れる排気路７のうちの熱交換器１４の流路とが交差しており、仕切り壁を介して熱交換を行うものである。
【００２９】
熱交換器１４には、熱交換器１４がケーシング１内に収容されている状態において、風路仕切部品１３ａ〜１３ｄの対向位置に設けられる熱交換器フレーム４０ａ〜４０ｄが取り付けられている。この熱交換器フレーム４０ａ〜４０ｄは、室内側側面１ａ側から室外側側面１ｄ側に向かう方向に伸びるように設けられた部材であり、縦断面形状が略クランク形状をしているものである。
【００３０】
熱交換器フレーム４０ａは、熱交換器１４のうちの吸込口側側面１ｂ側の上側の角部に設けられるものである。熱交換器フレーム４０ａは、風路仕切部品１３ａ及び熱交換器レール３８ａと対向するように設けられている。そして、熱交換器フレーム４０ａは、熱交換器レール３８ｂが熱交換器フレーム４０ａ側（下側）に下ろされている場合には、熱交換器レール３８ｂと密着しているものである。
熱交換器フレーム４０ｂは、熱交換器１４のうちの吹出口側側面１ｃ側の上側の角部に設けられるものである。熱交換器フレーム４０ｂは、風路仕切部品１３ｂ及び熱交換器レール３８ｂと対向するように設けられている。そして、熱交換器フレーム４０ｂは、熱交換器レール３８ａが熱交換器フレーム４０ｂ側（下側）に下ろされている場合には、熱交換器レール３８ａと密着しているものである。
熱交換器フレーム４０ｃは、熱交換器１４のうちの吸込口側側面１ｂ側の下側の角部に設けられるものである。熱交換器フレーム４０ｃは、風路仕切部品１３ｃと対向するように設けられている。そして、熱交換器フレーム４０ｃは、熱交換器１４の自重により、風路仕切部品１３ｃと押しつけ合うように設けられているものである。
熱交換器フレーム４０ｄは、熱交換器１４のうちの吹出口側側面１ｃ側の下側の角部に設けられるものである。熱交換器フレーム４０ｄは、風路仕切部品１３ｄと対向するように設けられている。そして、熱交換器フレーム４０ｄは、熱交換器１４の自重により、風路仕切部品１３ｄと押しつけ合うように設けられているものである。
【００３１】
なお、熱交換器フレーム４０ａ〜４０ｄは、室内側側面１ａ側から室外側側面１ｄ側に向かう方向に伸びるように設けられた１つの部材であるものとして説明したがそれに限定されるものではない。たとえば、熱交換器フレーム４０ａ〜４０ｄは、複数の部材からなり、この複数の部材が室内側側面１ａ側から室外側側面１ｄ側に向かう方向に分断されるように配置された構成であってもよい。この構成では熱交換器フレーム４０ａ〜４０ｄが途切れ途切れとなるものの、熱交換器１４を着脱する作業負担を抑制することができる。
また、熱交換器フレーム４０ａ〜４０ｄは、上述のように、熱交換器１４の角部に設けられ、縦断面形状が略クランク形状をしているものとして説明したがそれに限定されるものではない。たとえば、熱交換器フレーム４０ａ〜４０ｄを断面略Ｌ字状とし、熱交換器フレーム４０ａ、４０ｂを熱交換器１４の上面にのみ接触するように設け、熱交換器フレーム４０ｃ、４０ｄを熱交換器１４の下面にのみ接触するように設けてもよい。そして、この場合には、風路仕切部品１３ａ〜１３ｄの位置を熱交換器フレーム４０ａ〜４０ｄを取り付ける位置に対応するように変更すればよい。なお、縦断面形状が略クランク形状の方が、熱交換器１４の上面、下面における接触に加えて側面における接触もするため、熱交換器フレーム４０ａ〜４０ｄと熱交換器１４との接触面積が大きくなる分、熱交換器フレーム４０ａ〜４０ｄを熱交換器１４に確実に取り付けることができる。
さらに、本実施の形態では、熱交換器レール３８ａ、３８ｂが下側に下ろされて、熱交換器１４の熱交換器フレーム４０ａ、４０ｂに接触している状態において、熱交換器レール３８ａ、３８ｂが熱交換器フレーム４０ａ、４０ｂを押しつけているものとして説明したがそれに限定されるものではない。たとえば、熱交換器レール３８ａ、３８ｂが下側に下ろされた際の熱交換器レール３８ａ、３８ｂの下面の高さ位置の下に、熱交換器フレーム４０ａ、４０ｂの上面の高さ位置がくるようにし、熱交換器レール３８ａ、３８ｂが熱交換器フレーム４０ａ、４０ｂを押しつけないようにしてもよい。
【００３２】
（還気フィルタ１２ａ及び外気フィルタ１２ｂ）
還気フィルタ１２ａは、排気路７を通過する空気のホコリなどを補足するものである。還気フィルタ１２ａは、熱交換器１４のうちの排気路７側の上流に付設されている。なお、還気フィルタ１２ａは、熱交換器１４に密着するように取り付けられている。
外気フィルタ１２ｂは、給気路６を通過する空気のホコリなどを補足するものである。外気フィルタ１２ｂは、熱交換器１４のうちの給気路６側の上流に付設されている。なお、外気フィルタ１２ｂは、熱交換器１４に密着するように取り付けられている。
この還気フィルタ１２ａ及び外気フィルタ１２ｂにより、熱交換器１４、給気送風機ユニット９及び排気送風機ユニット１１にホコリなどが侵入してしまい、熱交換器１４の熱交換能力が低下したり、給気送風機ユニット９及び排気送風機ユニット１１が故障してしまうことが抑制される。
なお、本実施の形態では、還気フィルタ１２ａ及び外気フィルタ１２ｂが、熱交換器１４に密着するように取り付けられているため、フィルタメンテナンスの際には、還気フィルタ１２ａ及び外気フィルタ１２ｂを熱交換器１４と一体で引き出してメンテナンスすることができるようになっている。
【００３３】
（給気送風機ユニット９及び排気送風機ユニット１１）
給気送風機ユニット９及び排気送風機ユニット１１は、回転するファン、当該ファンを回転させるモーターなどにより構成されたものであり、空気を取り込み、放出するものである。
給気送風機ユニット９は、室内側側面１ａ側から見て、ケーシング１内の手前側、すなわち吹出口側側面１ｃ側の手前に配置されている。排気送風機ユニット１１は、室内側側面１ａ側から見て、ケーシング１内の右奥側、すなわち吹出口側側面１ｃ側の奥側に配置されている。
なお、排気送風機メンテナンスパネル１７がケーシング１に立設されて、紙面手前側と紙面奧側とが区画されている。このため、給気送風機ユニット９を流れる給気と、排気送風機ユニット１１を流れる排気とは、混合しないようになっている。
【００３４】
（開閉ダンパー１０）
開閉ダンパー１０は、バイパス路８を開放・閉塞するものである。
すなわち、開閉ダンパー１０がバイパス路８を開放すると、室外側吸込口２側から排気送風機ユニット１１側へ排気が流れる。また、開閉ダンパー１０がバイパス路８を閉塞すると、室外側吸込口２側からバイパス路８に流入した排気は、開閉ダンパー１０によって塞き止められ、バイパス路８から排気送風機ユニット１１側へ排気が流れない。
なお、開閉ダンパー１０は、たとえば、図示省略のワイヤーなどによって駆動モーターと接続されており、この駆動モーターによって開閉させられるようになっている。
【００３５】
（回路ボックス１８）
回路ボックス１８は、給気送風機ユニット９、排気送風機ユニット１１などの回転数を制御するマイコンなどで構成された制御装置が設けられたものである。回路ボックス１８は、ケーシング１の室内側側面１ａに取り付けられている。
【００３６】
［給気及び排気の流れの説明］
図６は、給気路６を示す概略側面図であり、給気の流れを矢印で示している。図７は、排気路７を示す縦断面図であり、排気の流れを矢印で示している。図６及び図７を参照して、給気及び排気の流れについて説明する。
【００３７】
図６の矢印に給気路６の給気流を示した。室外空気は、吸込口側側面１ｂに形成された室外側吸込口２からケーシング１内に流入し、熱交換器通過前給気路６ａ及び熱交換器通過後給気路６ｂを通り、その後、給気送風機ユニット通過前給気路６ｃ及び給気送風機ユニット通過後給気路６ｄを経由して、吹出口側側面１ｃに形成された室内側吹出口３から室内側に吹き出される。
【００３８】
図７の矢印に排気路７の排気流を示した。室内空気は、吸込口側側面１ｂに形成された室内側吸込口４からケーシング内に流入し、熱交換器通過前排気路７ａ及び熱交換器通過後排気路７ｂを通り、その後、排気送風機ユニット通過前排気路７ｃ及び排気送風機ユニット通過後排気路７ｄを経由して、吹出口側側面１ｃに形成された室外側吹出口５から室内側に吹き出される。
【００３９】
［熱交換器メンテナンスパネル１６について］
図８は、熱交換器メンテナンスパネル１６及びその周辺の斜視図である。図９は、図８の熱交換器メンテナンスパネル１６を取外した状態の斜視図である。図１０は、熱交換器メンテナンスパネル１６の一部を拡大した平面図である。図８〜図１０を参照して、熱交換器メンテナンスパネル１６について詳しく説明する。
図１０に示すように、熱交換器メンテナンスパネル１６には、熱交換器レール３８ｂのツマミ部３９及び熱交換器レール３８ａのツマミ部が挿入されるスリット部４３が形成されている。このツマミ部３９をスリット部４３に挿入するように、熱交換器メンテナンスパネル１６をケーシング１にネジで固定することで、熱交換器レール３８ａ、３８ｂは、熱交換器フレーム４０ａ、４０ｂとの隙間がない状態で固定される。すなわち、スリット部４３は、熱交換器フレーム４０ａ、４０ｂとの隙間がなくなる所定位置に熱交換器レール３８ａ、３８ｂが位置するように形成されている。
このように、熱交換器メンテナンスパネル１６を取り付けることで、熱交換器レール３８ａ、３８ｂを下方の適正な位置に移動させ固定させることができ、熱交換器フレーム４０ａ、４０ｂと熱交換器レール３８ａ、３８ｂとの密着性を向上させることができる。これにより、ケーシング１内の気密性が向上し、換気効率が低下してしまうことを抑制することができる。
【００４０】
図９に示すように、室内側側面１ａは、熱交換器１４のメンテナンス用の開口部１６Ａが設けられている。そして、図８に示すように、熱交換器メンテナンスパネル１６は、この開口部１６Ａを塞ぐようにケーシング１に取り付けられている。
熱交換器メンテナンスパネル１６は、熱交換器メンテナンスパネル１６の内側面が、熱交換器１４の室内側側面１ａ側の側面と接触するようにケーシング１に取り付けられている。これにより、熱交換器通過前給気路６ａ及び熱交換器通過後給気路６ｂと、熱交換器通過前排気路７ａ及び熱交換器通過後排気路７ｂとがより確実に隔離され、給気と排気とが混合してしまうことを抑制することができるようになっている。また、開口部１６Ａについても確実に閉塞されることとなり、ケーシング１の気密性を向上させることができる。
【００４１】
［メンテナンス方法］
還気フィルタ１２ａ及び外気フィルタ１２ｂを交換するなどのメンテナンス方法について説明する。
熱交換換気装置のメンテナンスは、図示省略の天井板に設けた点検口から行う。作業者は、ケーシング１の室内側側面１ａの熱交換器メンテナンスパネル１６を外すことで、開口部１６Ａを介して露出した熱交換器１４をケーシング１から抜差しできるようになっている。
なお、図８〜図１０に示すように、熱交換器メンテナンスパネル１６は、熱交換器レール３８ｂの一端に設けられたツマミ部３９が熱交換器メンテナンスパネル１６に設けられたスリット部４３に挿入された状態で室内側側面１ａにネジ固定されている。このネジ固定を外し、熱交換器メンテナンスパネル１６を外すことで、ケーシング１の室内側側面１ａ側から熱交換器１４を取り出すことができる。
【００４２】
［熱交換器レール３８ｂの上下位置の切り換え］
図１１は、熱交換器レール３８ａ、３８ｂを下側に下げた状態における熱交換器１４、熱交換器レール３８ａ、３８ｂ及び風路仕切部品１３ｃ、１３ｄの説明図である。図１２は、図１１に示す構成について、熱交換器１４の室内側側面１ａ側の側面から見た図である。図１３は、図１１に示す構成について、熱交換器１４の吹出口側側面１ｃ側の側面から見た図である。なお、図１１及び図１３の説明では、熱交換器レール３８ａが熱交換器レール３８ｂと対応する動作をするため、熱交換器レール３８ａについての説明は省略している。
【００４３】
図１１及び図１３に示すように、熱交換器レール３８ｂを下側に下げた状態においては、熱交換器フレーム４０ｂと熱交換器レール３８ｂとが密着するように接触している。
この状態においては、図１１及び図１３に示すように、ガイドピン４１ａは切欠穴４２ａの上端に位置し、ガイドピン４１ｂは切欠穴４２ｂの上端に位置し、ガイドピン４１ｃは切欠穴４２ａの上端に位置している。
また、この状態においては、図１２に示すように、熱交換器フレーム４０ｃ、４０ｄは、熱交換器１４の自重により、風路仕切部品１３ｃ、１３ｄと押しつけ合うように接触して設けられる。熱交換器フレーム４０ａ、４０ｂについては、熱交換器レール３８ａ、３８ｂのツマミ部３９が熱交換器メンテナンスパネル１６のスリット部４３に挿入されて熱交換器レール３８ａ、３８ｂが下側に付勢されるため、熱交換器レール３８ａ、３８ｂと押しつけ合うように接触して設けられる。
【００４４】
図１４は、熱交換器レール３８ａ、３８ｂを上側に上げた状態における熱交換器１４、熱交換器レール３８ａ、３８ｂ及び風路仕切部品１３ｃ、１３ｄの説明図である。図１５は、図１４に示す構成について、熱交換器１４の室内側側面１ａ側の側面から見た図である。図１６は、図１４に示す構成について、熱交換器１４の吹出口側側面１ｃ側の側面から見た図である。なお、図１４及び図１６の説明では、熱交換器レール３８ａが熱交換器レール３８ｂと対応する動作をするため、熱交換器レール３８ａについての説明は省略している。
【００４５】
図１４及び図１６に示すように、熱交換器レール３８ｂを上側に上げた状態においては、熱交換器レール３８ｂが、熱交換器フレーム４０ｂから離れて隙間が形成される。
この離れた状態においては、図１４及び図１６に示すように、ガイドピン４１ａは切欠穴４２ａのうちの水平方向に略平行な部分に位置し、ガイドピン４１ｂは切欠穴４２ｂの下端に位置し、ガイドピン４１ｃは切欠穴４２ａの下端に位置している。
また、この状態においては、図１５に示すように、熱交換器フレーム４０ｃ、４０ｄは、熱交換器１４の自重により、風路仕切部品１３ｃ、１３ｄと押しつけ合うように接触して設けられる。しかし、熱交換器フレーム４０ａ、４０ｂについては、熱交換器メンテナンスパネル１６が取り外されて熱交換器レール３８ａ、３８ｂが上側に上げた状態となっているため、熱交換器レール３８ａ、３８ｂと接触していない。
【００４６】
次に、図１１〜図１３と、図１４〜図１６とを参照して、熱交換器レール３８ｂの上下位置を切り換えているときの詳細な動作について説明する。なお、ここでの説明では、熱交換器レール３８ａが熱交換器レール３８ｂと対応する動作をするため、熱交換器レール３８ａについての説明は省略している。また、熱交換器１４がケーシング１内に取り付けられており、熱交換器レール３８ａ、３８ｂが下側に降りている状態であるものとする。
【００４７】
作業者は、熱交換器レール３８ｂのツマミ部３９を持ち、上側に熱交換器レール３８ｂを引く。
すると、ガイドピン４１ａは切欠穴４２ａの略Ｌ字形に沿って移動するため、ガイドピン４１ａが切欠穴４２ａの垂直方向に略平行な部分の下部に移動する。これにより、熱交換器レール３８ｂの室内側側面１ａ側の端部が、作業者が引いた方向とは垂直な方向にも移動することとなる。
ガイドピン４１ｂについても切欠穴４２ｂの略Ｌ字形に沿って移動し、ガイドピン４１ｂが切欠穴４２ｂの垂直方向に略平行な部分の下部に移動する。これにより、熱交換器レール３８ｂの切欠穴４２ｂの形成位置あたりが、作業者が引いた方向とは垂直な方向にも移動することとなる。なお、この移動する量は、熱交換器レール３８ｂの室内側側面１ａ側の端部よりは小さい。
ガイドピン４１ｃについては、切欠穴４２ｃに対して移動しない。
【００４８】
このように、作業者が、上側に熱交換器レール３８ｂを引くと、ガイドピン４１ｃを回転軸として、熱交換器レール３８ｂが回転するように移動する。このため、熱交換器レール３８ｂのうち室内側側面１ａ側の部分ほど上側に上昇する。すなわち、熱交換器レール３８ｂは、室内側側面１ａ側の方が上側で、室外側側面１ｄ側の方が下側となるように傾いた状態となっている。
【００４９】
次に、作業者は、熱交換器レール３８ｂのツマミ部３９を持ち、室内側側面１ａ側に熱交換器レール３８ｂを引く。
すると、ガイドピン４１ｂは切欠穴４２ａの略Ｌ字形に沿って移動するため、ガイドピン４１ａが切欠穴４２ａの水平方向に略平行な部分の室外側側面１ｄ側に移動する。これにより、熱交換器レール３８ｂの室内側側面１ａ側の端部は、室内側側面１ａ側に水平移動する。なお、ガイドピン４１ａが切欠穴４２ａの水平方向に略平行な部分に移動しているため、熱交換器レール３８ｂの高さ位置が下がらないようになっている。
ガイドピン４１ｂについても切欠穴４２ｂの略Ｌ字形に沿って移動し、ガイドピン４１ｂが、切欠穴４２ｂのうち室内側側面１ａから室外側側面１ｄに向かって上側から下側へ傾斜した部分の下側に移動する。これにより、熱交換器レール３８ｂの切欠穴４２ｂの形成位置あたりが、上側に持ち上がるとともに室内側側面１ａ側に水平移動する。
ガイドピン４１ｃについては、切欠穴４２ｃの形状に沿って移動するため、切欠穴４２ｃのうち室内側側面１ａから室外側側面１ｄに向かって上側から下側へ傾斜した部分の下側に移動する。
【００５０】
このように、作業者が、室内側側面１ａ側に熱交換器レール３８ｂを引くと、熱交換器レール３８ｂのうち切欠穴４２ｂ側から切欠穴４２ｃ側にかけてが上側に持ち上げられるとともに、熱交換器レール３８ｂの全体が室内側側面１ａ側（水平方向）に移動する。これにより、熱交換器レール３８ｂは、水平方向に対して略平行となり、また、熱交換器フレーム４０ａから離れて、熱交換器フレーム４０ａとの間に所定の隙間が形成される。
【００５１】
［本実施の形態に係る熱交換換気装置の有する効果］
本実施の形態に係る熱交換換気装置は、熱交換器レール３８ａ、３８ｂと熱交換器１４の熱交換器フレーム４０ａ、４０ｂとの間に隙間が形成されるように離す状態と、密着させる状態とを切り換えることができる。
すなわち、メンテナンス時には、熱交換器レール３８ａ、３８ｂと熱交換器１４の熱交換器フレーム４０ａ、４０ｂとの間に隙間が形成されるように離す状態とすることで、作業負担を抑制することができる。また、熱交換器１４がケーシング１内に収納している時には、熱交換器レール３８ａ、３８ｂと熱交換器１４の熱交換器フレーム４０ａ、４０ｂとを密着させることができ、たとえば給気路６及び排気路７の気密性を向上させ、換気効率が低下してしまうことを抑制することができる。
【符号の説明】
【００５２】
１  ケーシング、１ａ  室内側側面、１ｂ  吸込口側側面、１ｃ  吹出口側側面、１ｄ  室外側側面、２  室外側吸込口、３  室内側吹出口、４  室内側吸込口、５  室外側吹出口、６  給気路、６ａ  熱交換器通過前給気路、６ｂ  熱交換器通過後給気路、６ｃ  給気送風機ユニット通過前給気路、６ｄ  給気送風機ユニット通過後給気路、７  排気路、７ａ  熱交換器通過前排気路、７ｂ  熱交換器通過後排気路、７ｃ  排気送風機ユニット通過前排気路、７ｄ  排気送風機ユニット通過後排気路、８  バイパス路、９  給気送風機ユニット、１０  開閉ダンパー、１１  排気送風機ユニット、１２ａ  還気フィルタ、１２ｂ  外気フィルタ、１３ａ、１３ｂ  風路仕切部品、１３ｃ、１３ｄ  風路仕切部品（保持部）、１４  熱交換器、１５  給気送風機メンテナンスパネル、１６  熱交換器メンテナンスパネル（メンテナンスパネル）、１６Ａ  開口部（着脱口）、１７  排気送風機メンテナンスパネル、１８  回路ボックス、３７  風路仕切部品、３８ａ、３８ｂ  熱交換器レール（移動規制手段の押え部）、３８ｂｂ  開放部、３９  ツマミ部、４０ａ、４０ｂ  熱交換器フレーム、４０ｃ、４０ｄ  熱交換器フレーム、４１ａ〜４１ｃ  ガイドピン（移動規制手段のガイドピン）、４２ａ  切欠穴（移動規制手段の第１の開口部）、４２ｂ  切欠穴（移動規制手段の開口部）、４２ｃ  切欠穴（移動規制手段の第２の開口部）、４３  スリット部、４４ａ、４４ｂ  シール材、５０  接続風路部。
【図１】
2014092303.tif 000003
【図２】
2014092303.tif 000004
【図３】
2014092303.tif 000005
【図４】
2014092303.tif 000006
【図５】
2014092303.tif 000007
【図６】
2014092303.tif 000008
【図７】
2014092303.tif 000009
【図８】
2014092303.tif 000010
【図９】
2014092303.tif 000011
【図１０】
2014092303.tif 000012
【図１１】
2014092303.tif 000013
【図１２】
2014092303.tif 000014
【図１３】
2014092303.tif 000015
【図１４】
2014092303.tif 000016
【図１５】
2014092303.tif 000017
【図１６】
2014092303.tif 000018